(57)【要約】【課題】検体液中の微粒子を高感度に検出でき、小型且つ大量生産可能で低コスト化を容易にする。【解決手段】検体液中の微粒子を検出する半導体マイクロ分析チップであって、半導体基板１０と、半導体基板１０に設けられ、検体液を流入可能な第１の流路２１と、半導体基板１０の第１の流路２１とは異なった配置に設けられ、検体液又は電解液を流入可能な第２の流路２２と、第１の流路２１の一部と第２の流路２２の一部とが隔壁を挟んで隣接又は交差する接触部と、隔壁に設けられ微粒子が通過可能な微細孔３０と、を具備した。【選択図】図１
2015036631.tif 000002
【特許請求の範囲】
【請求項１】
検体液中の微粒子を検出する半導体マイクロ分析チップであって、
半導体基板と、
前記半導体基板に設けられ、前記検体液を流入可能で、一端側に前記検体液の排出領域を有する第１の流路と、
前記半導体基板の前記第１の流路とは異なった配置に設けられ、前記検体液又は電解液を流入可能で、一端側に前記検体液又は電解液の排出領域を有する第２の流路と、
前記第１の流路の一部と前記第２の流路の一部とが隔壁を挟んで隣接又は交差する接触部と、
前記隔壁に設けられ前記微粒子が通過可能な微細孔と、
前記第１の流路の前記排出領域上に設けられ、前記検体液を吸収する第１の吸収材と、
前記第２の流路の前記排出領域上に設けられ、前記検体液又は電解液を吸収する第２の吸収材と、
前記第１の流路内に少なくとも一部が露出してなる第１の電極と、
前記第２の流路内に少なくとも一部が露出してなり、前記微細孔を挟んで前記第１の電極と対向配置された第２の電極と、
を具備し、
前記第１の流路の底面と前記第２の流路の底面が同一面上に形成され、前記第１の流路の上面と前記第２の流路の上面が異なる高さに形成され、前記接触部における前記隔壁の少なくとも一部が前記第１の流路の上面で且つ前記第２の流路の底面となっていることを特徴とする半導体マイクロ分析チップ。
【請求項２】
検体液中の微粒子を検出する半導体マイクロ分析チップであって、
半導体基板と、
前記半導体基板に設けられ、前記検体液を流入可能な第１の流路と、
前記半導体基板の前記第１の流路とは異なった配置に設けられ、前記検体液又は電解液を流入可能な第２の流路と、
前記第１の流路の一部と前記第２の流路の一部とが隔壁を挟んで隣接又は交差する接触部と、
前記隔壁に設けられ前記微粒子が通過可能な微細孔と、
を具備したことを特徴とする半導体マイクロ分析チップ。
【請求項３】
前記第１の流路内に少なくとも一部が露出してなる第１の電極と、前記第２の流路内に少なくとも一部が露出してなる第２の電極とを更に有してなることを特徴とする、請求項２記載の半導体マイクロ分析チップ。
【請求項４】
前記第１の電極と前記第２の電極が前記微細孔を挟んで対向していることを特徴とする、請求項３に記載の半導体マイクロ分析チップ。
【請求項５】
前記第１の流路が前記半導体基板を掘り込んで中空構造の上蓋を設けた溝型トンネル状流路であり、前記第２の流路が前記半導体基板上に中空構造の流路壁を作り付けた積層型トンネル状流路であり、前記接触部における前記隔壁の少なくとも一部が前記第１の流路の上面で且つ前記第２の流路の底面となっていることを特徴とする、請求項２乃至４の何れかに記載の半導体マイクロ分析チップ。
【請求項６】
前記第１の流路の底面と前記第２の流路の底面が同一面上に形成され、前記第１の流路の上面と前記第２の流路の上面が異なる高さに形成され、前記接触部における前記隔壁の少なくとも一部が前記第１の流路の上面で且つ前記第２の流路の底面となっていることを特徴とする、請求項２乃至４の何れかに記載の半導体マイクロ分析チップ。
【請求項７】
前記第１及び第２の流路の一方の前記微細孔の下流側に前記検体液が通過可能で且つ前記微粒子を収集可能な微粒子サイズフィルタを設け、該微粒子サイズフィルタを設けた側の流路から他方の流路に向かって前記微粒子が前記微細孔を通過する状況を構成してなることを特徴とする、請求項２乃至６の何れかに記載の半導体マイクロ分析チップ。
【請求項８】
前記第１の流路の一端側に検体液排出領域を有し、前記第２の流路の一端側に検体液又は電解液の排出領域を有し、且つ前記第１の流路の排出領域上に前記検体液を吸収する第１の吸収材が設けられ、前記第２の流路の排出領域上に前記検体液又は電解液を吸収する第２の吸収材が設けられていることを特徴とする、請求項２乃至７の何れかに記載の半導体マイクロ分析チップ。
【請求項９】
請求項２〜８の何れかに記載の半導体マイクロ分析チップと、
前記チップを収容するパッケージと、
を具備し、
前記第１の流路の一端側に第１の検体液導入領域を有し、前記第２の流路の一端側に第２の検体液導入領域を有し、
前記第１の検体液導入領域上に前記検体液を吸収する第１の吸収材が設けられ、前記第２の検体液導入領域上に前記検体液を吸収する第２の吸収材が設けられ、
前記パッケージの前記第１及び第２の吸収材上に検体液導入口を有し、前記検体液導入口には、導入される検体液を前記第１及び第２の吸収材に分離して供給するための仕切り板が設けられていることを特徴とする半導体マイクロ分析チップ装置。
【請求項１０】
検体液中の微粒子を検出する半導体マイクロ分析チップの製造方法であって、
所定間隔に配列された島状マスクにより半導体基板を所定深さにエッチングして所定間隔で配列された柱状構造体アレイを形成する工程と、
前記柱状構造体アレイの少なくとも一部を内包する第１のトンネル状流路を形成する工程と、
前記第１のトンネル状流路の上面に微細孔を設ける工程と、
前記微細孔により接続された部分を有する第２のトンネル状流路を形成する工程と、
を含むことを特徴とする半導体マイクロ分析チップの製造方法。
【発明の詳細な説明】
【技術分野】
【０００１】
本発明の実施形態は、微粒子検体を検出可能な半導体マイクロ分析チップ及びその製造方法に関する。
【背景技術】
【０００２】
近年、バイオ技術やヘルスケアなどの分野において、微小流路と検出機構などの要素を集積したマイクロ分析チップが利用されている。これらの分析チップは、ガラス基板や樹脂基板に形成された微小溝にカバーを設けてトンネル流路を形成している。また、検出機構として、レーザ光散乱や蛍光検出以外に微小孔による微粒子検出を利用したものが知られている。
【先行技術文献】
【特許文献】
【０００３】
【特許文献１】特開２００４−２３３３５６号公報
【特許文献２】特表２００８−５４５５１８号公報
【発明の概要】
【発明が解決しようとする課題】
【０００４】
発明が解決しようとする課題は、検体液中の微粒子を高感度に検出でき、小型且つ大量生産可能で低コスト化が容易な半導体マイクロ分析チップ及びその製造方法を提供することである。
【課題を解決するための手段】
【０００５】
実施形態の半導体マイクロ分析チップは、半導体基板と、前記半導体基板に設けられ、前記検体液を流入可能な第１の流路と、前記半導体基板の前記第１の流路とは異なった配置に設けられ、前記検体液又は電解液を流入可能な第２の流路と、前記第１の流路の一部と前記第２の流路の一部とが隔壁を挟んで隣接又は交差する接触部と、前記隔壁に設けられ前記微粒子が通過可能な微細孔と、を具備している。
【図面の簡単な説明】
【０００６】
【図１】第１の実施形態に係わる半導体マイクロ分析チップの概略構成を示す平面図。
【図２】第１の実施形態に係わる半導体マイクロ分析チップの概略構成を示す斜視図。
【図３】第１の実施形態に係わる半導体マイクロ分析チップの製造過程を示す断面図。
【図４】第１の実施形態に係わる半導体マイクロ分析チップの製造過程を示す断面図。
【図５】第２の実施形態に係わる半導体マイクロ分析チップの概略構成を示す平面図。
【図６】第２の実施形態に係わる半導体マイクロ分析チップの概略構成を示す斜視図。
【図７】第２の実施形態に係わる半導体マイクロ分析チップの概略構成を示す断面図。
【図８】犠牲層をオーバエッチングした状態を示す断面図。
【図９】第２の実施形態に係わる半導体マイクロ分析チップの機能動作を示す断面図。
【図１０】第２の実施形態の変形例を示す平面図と斜視図。
【図１１】第３の実施形態に係わる半導体マイクロ分析チップの概略構成を示す斜視図。
【図１２】第３の実施形態に係わる半導体マイクロ分析チップの製造過程を示す断面図。
【図１３】第４の実施形態に係わる半導体マイクロ分析チップの概略構成を示す平面図。
【図１４】第４の実施形態に係わる半導体マイクロ分析チップの概略構成を示す斜視図。
【図１５】第４の実施形態に係わる半導体マイクロ分析チップの概略構成を示す断面図。
【図１６】第４の実施形態の変形例を示す平面図。
【図１７】第４の実施形態の変形例を示す斜視図。
【図１８】第４の実施形態の変形例を示す平面図と斜視図。
【図１９】第４の実施形態に係わる半導体マイクロ分析チップの概略構成を示す断面図。
【図２０】第５の実施形態に係わる半導体マイクロ分析チップの概略構成を示す斜視図。
【図２１】第６の実施形態に係わる半導体マイクロ分析チップの概略構成を示す斜視図。
【図２２】第６の実施形態に係わる半導体マイクロ分析チップの概略構成を示す断面図。
【図２３】第７の実施形態に係わる半導体マイクロ分析チップの概略構成を示す平面図。
【図２４】第８の実施形態に係わる半導体マイクロ分析チップの概略構成を示す平面図。
【図２５】第８の実施形態に係わる半導体マイクロ分析チップの概略構成を示す斜視図。
【発明を実施するための形態】
【０００７】
本実施形態の半導体マイクロ分析チップは、半導体基板上に小型流路と微粒子の検出機構を集積形成しており、検体液の導入・排出のためのリザーバーに導入された検体液（検出する微粒子を電解液中に懸濁した懸濁液）を２つの流路の少なくとも一方に充填させ、２つの流路間に設けた微細孔を微粒子が通過する際に微細孔を通過するイオン電流が変化する様子を観測して電気的に微粒子検出を行うものである。
【０００８】
本実施形態の半導体マイクロ分析チップは、Ｓｉなどの半導体ウェハを基板としており、量産技術の進んだ半導体加工技術により従来技術で多く採用されている石英基板又は樹脂基板を用いたマイクロ分析チップに比して大幅な小型化と大量生産が可能となり、マイクロ分析チップを大量且つ低コストに製造可能となる。また、流路のシール構造（蓋）形成に別基板やカバーガラスの貼り合わせを不要にすることができ、従来技術で困難であった立体流路などの新規構造導入により超小型化や高感度化を達成することも可能になる。さらに、微粒子検出が電気的に行えることで電子回路技術による雑音分離や、リアルタイムのデジタル処理（統計処理など）による高感度化が可能であるほか、光学的検出方式に比して光学系などの空間を大きく占有する要素がないため、検出装置の劇的な小型化が可能となる。
【０００９】
以下、図面を参照しながら本発明の実施形態について説明していく。ここでは、幾つかの具体的な材料や構成を例として示すが、同様な機能を持つ材料や構成であれば同様に実施可能であり、以下の実施形態に限定されるものではない。
【００１０】
（第１の実施形態）
図１は、第１の実施形態に係わる半導体マイクロ分析チップの概略構成を説明するための平面図であり、図２はその斜視図である。
【００１１】
図中の１０は半導体基板であり、この基板１０としては、Ｓｉ，Ｇｅ，ＳｉＣ，ＧａＡｓ，ＩｎＰ，ＧａＮなど各種の半導体を用いることができる。以下、半導体基板１０としてＳｉを例として説明を行っていく。
【００１２】
４１ａ，４１ｂ，４２ａ，４２ｂは検体液の注入、排出を行うためのリザーバーであり、４１ａは検体液導入領域、４１ｂは電解液導入領域、４２ａは検体液排出領域、４２ｂは第２の電解液排出領域となる。これらのリザーバーは、Ｓｉ基板１０の表面部を例えば選択エッチングにより、例えば１ｍｍ角の正方形のパターンに２μｍ掘り込むことで形成されている。
【００１３】
２１は検体液を通流させるための第１の流路、２２は電解液を通流させるための第２の流路である。これらの流路２１，２２は、異なるレイアウトで一部が近接するように配置され、Ｓｉ基板１０を例えば５０μｍ幅で２μｍ深さに掘り込んで形成されている。さらに、流路２１，２２は、上部がシリコン酸化膜（ＳｉＯ2 ）やシリコン窒化膜（ＳｉＮｘ）、アルミナ膜（Ａｌ2Ｏ3 ）などの絶縁薄膜（例えば厚さ２００ｎｍ）で覆われ、図２に示すように流路キャップ１１（流路をシールする蓋）が形成されている。これにより、第１及び第２の流路共に溝型トンネル流路となっている。
【００１４】
このとき、流路キャップ１１の形成は、リザーバー４１ａ，４１ｂ，４２ａ，４２ｂに接続する部分までとし、リザーバー上部と流路の接続部には検体液や電解液が通過可能となるように、少なくとも一部は流路キャップを形成しないようにする。これにより、流路２１及び２２はリザーバー部分で開口したトンネル状流路となる。
【００１５】
３０は第１の流路２１と第２の流路２２との接触部に設けた微細孔であり、流路２１と流路２２の隔壁３１（例えば０．２μｍ厚のＳｉＯ2 ）の一部をスリット状にエッチング除去することにより形成されている。微細孔３０の大きさ（幅）は検出する粒子のサイズより僅かに大きいサイズとし、検出する微粒子サイズが１μｍφの場合、図１の微細孔３０の幅を例えば１．５μｍとする。
【００１６】
１３ａ，１３ｂは微粒子を検出するための電極であり、それぞれ流路２１，２２の内部に一部露出するように形成されている。これらの電極材料としては、検体液接触面がＡｇＣｌ，Ｐｔ，Ａｕなどとなるように構成すれば良い。また、電極は必ずしも図２のように集積化されていなくとも良く、それぞれの流路のリザーバーに外部電極を差し込むことでも微粒子の検出は可能である。
【００１７】
微細孔３０を通るイオン電流、即ち２つの流路２１，２２に電解液（電解質を溶融させてイオン電流が流れ得る溶液）を充填し、電極１３ａと１３ｂに電圧印加して流れる電流（微粒子非通過時の定常電流）は、基本的に微細孔３０の開口サイズで決定する。また、検出する微粒子が微細孔３０を通過する際には、微粒子が微細孔３０の一部を塞いでイオンの通過を阻害するため、その度合いに応じた電流の減少が生じる。但し、微粒子が導電性又は表面準位伝導可能な場合、微粒子がイオン電荷の授受を行って微粒子自体の電気伝導で電流が増加する場合もある。このイオン電流変化は、微細孔３０と微粒子の形状、大きさ、長さなどの相対関係で決定するため、イオン電流の変化量や継時変化などを観測することで、微細孔を通過した微粒子内容を割出すことが可能になる。
【００１８】
微細孔３０の開口サイズは、検出する微粒子の通過し易さとイオン電流の変化度合い（感度）を考慮して決めれば良く、例えば検出微粒子外径の１．５倍から５倍以内とする。また、検出する微粒子を分散させる電解液として、例えばＫＣｌ水溶液などの電解液、ＴＥ（Tris Ethylene diamine tetra acetic acid）緩衝溶液やＰＢＳ（Phosphate Buffered Saline）緩衝溶液などの各種緩衝溶液を用いることができる。
【００１９】
図１及び図２に示した本実施形態の半導体マイクロ分析チップにおいて、例えば第１の流路２１を検体液導入流路としてリザーバー４１ａ又は４２ａに検体液（電解液に検出する微粒子を分散させた懸濁液）を滴下する。このとき、前述したように流路２１がトンネル状流路であることから、検体液が流路２１の入り口に達した瞬間、毛細管現象により検体液が流路２１に吸い込まれて流路２１の内部が検体液で満たされる。流路２２は検出する微粒子の受容流路として用い、リザーバー４１ｂ又は４２ｂに微粒子を含まない電解液を滴下し、同様に内部を電解液で満たしておく。この状態で、電極１３ａ，１３ｂ間に電圧印加することにより、微細孔３０を通過する微粒子を検出可能になる。
【００２０】
２つの電極１３ａ，１３ｂ間に印加する電圧の極性は、検出する微粒子（細菌、ウィルス、標識粒子など）の帯電状況によって異なる。例えば、負帯電した微粒子の検出を行う場合には、電極１３ａを負極、電極１３ｂを正極として電圧印加してイオン電流観測を行い、その時の液体内電界により微粒子が移動して微細孔を通過するようにすれば良い。
【００２１】
なお、第１の流路２１と第２の流路２２の両方に検体液を満たして上記検出を行うことでも良く、これは特に、検出する微粒子の帯電状況が不明な場合や、正帯電粒子と負帯電粒子が混在する場合などに用いることができる。また、微粒子の帯電状況が明らかな場合でも、２つの流路に検体液を満たして検出を行うことでも構わない。この場合、検体液と電解液を２種類用意する必要がなくなり、微粒子の検出作業が簡略化できる。但し、２つの流路のリザーバー間（４１ａと４１ｂ、４２ａと４２ｂ）は電気的に分離、即ち検体液が各リザーバー間で分離している必要がある。
【００２２】
このように、本実施形態の半導体マイクロ分析チップにおいては、検体液の導入と電気的な観測だけで微粒子検出ができ、更に半導体加工技術による超小型化と大量生産が可能で微粒子検出回路や識別判定回路などの集積も可能である。このため、超小型で高感度のマイクロ分析チップを低コストに大量生産することが可能である。従って、細菌やウィルスなどの高感度検出を手軽に実施できるようになり、伝染性病原体や食中毒原因菌の簡易検出などに応用することで、流行性疾病の拡大防止や食の安全確保といった分野に貢献することが可能となる。例えば、新型インフルエンザなど緊急隔離対策が必要な疾病に対する高速一次検査キットや一般家庭での簡易食中毒検査など、莫大数量を非常に低コストに提供する必要がある用途などに適している。
【００２３】
図３及び図４を用いて、図１及び図２で示した半導体マイクロ分析チップの製造方法を説明する。ここでは、代表的な部分についての製造過程の断面図を用いて説明していく。
【００２４】
図３及び図４は、本実施形態に係わる半導体マイクロ分析チップの製造過程を示す断面図であり、左図は第１の流路２１の断面図、右図は第１の流路２１と第２の流路２２の接触部の断面図であり、電極１３ａ，１３ｂを横切る部分の断面を示している。
【００２５】
図３（ａ）において、１０はシリコン基板、５１はシリコン酸化膜（ＳｉＯ2 ）をパターンニングしたエッチングマスクである。５１のＳｉＯ2 膜は、例えばＣＶＤ（Chemical Vapor Deposition）法により１００ｎｍ厚に形成し、フォトリゾグラフィーによるパターンレジスト（図示せず）を用いてウェットエッチング又はドライエッチングを行ってパターン加工を施す。このとき、パターン開口は流路部分とリザーバー部分、及び微細孔のスリット部分（図３（ａ）右図中央の孤立パターンの紙面方向の一部、図１の３０部分）とする。また、２つの流路２１，２２の接触部で流路を分離する隔壁３１（図３（ａ）右図中央の孤立パターン）の幅は、例えば１００ｎｍとする。
【００２６】
次いで、図３（ｂ）に示すように、エッチングマスク５１をマスクとしてシリコン基板１０の表面を例えば２μｍエッチングする。このＳｉ基板１０のエッチングは、ボッシュプロセスなどの深掘りＲＩＥ（Reactive Ion Etching）技術により行い、なるべくエッチング側面が垂直になるようにする。
【００２７】
次いで、図３（ｃ）に示すように、シリコン基板の１０表面に熱酸化ＳｉＯ2 膜１１ａを形成する。このとき、エッチングマスク５１は熱酸化前に除去することでも、図３（ｂ）の状態のまま残すことでも構わない。熱酸化処理は、例えばウェット酸化技術を用いてＳｉＯ2 の膜厚２００ｎｍとなるように形成する。このとき、流路の隔壁３１（図３（ｃ）右図中央の孤立パターン）は、１００ｎｍ幅のシリコンが両側面から全て酸化されて幅約２３０ｎｍのＳｉＯ2 フェンスとなる。
【００２８】
次いで、図３（ｄ）に示すように、電極１３ａ，１３ｂを形成する。電極１３ａ，１３ｂは、反転レジストパターン（図示せず）への金属蒸着（抵抗加熱蒸着、電子ビーム加熱蒸着、スパッタなど）とリフトオフにより形成するか、全面金属蒸着後にレジストパターンを形成してエッチングにより形成する。電極材料としては、Ｔｉ／Ｐｔ，Ｔｉ／Ｐｔ／Ａｕ，Ｔｉ／Ｐｔ／ＡｇＣｌなどを用いれば良く、液接触する表面がＡｇＣｌ，Ｐｔ，Ａｕなどとなることが望ましい。
【００２９】
次いで、図４（ｅ）に示すように、流路キャップを形成するための犠牲層１２を流路部分に埋め込み形成する。犠牲層１２としてはポリイミド樹脂などの有機材料を用い、例えばポリイミド樹脂の前駆体をスピンコートして加熱硬化させ、ＣＭＰ（Chemical Mechanical Polishing）やポリイミド樹脂の全面エッチングなどによりＳｉＯ2 膜１１ａ及び電極１３ａ，１３ｂの表面を露出させる。犠牲層１２の材料は、最後に選択除去が可能で、ＳｉＯ2 ，ＳｉＮｘ，Ａｌ2Ｏ3 などの絶縁膜の積層形成が可能な材料であれば良く、有機材料に限らず他の材料であっても構わない。
【００３０】
次いで、図４（ｆ）に示すように、流路キャップ１１ｂとなる絶縁膜（ＳｉＯ2 ，ＳｉＮｘ，Ａｌ2Ｏ3 など）をＣＶＤ又はスパッタなどにより形成する。そして、リザーバー及び電極パッド（外部接続端子）部分に開口を有するレジストパターン（図示せず）を形成し、絶縁膜１１ｂを選択エッチングする。
【００３１】
最後に、図４（ｇ）に示すように、酸素プラズマアッシングなどにより犠牲層１２の選択除去を行う。流路の犠牲層１２は、酸素プラズマにより流路２１，２２の端部開口からアッシング（灰化）除去される。この犠牲層除去後は、上下左右を絶縁膜に囲まれた流路２１，２２が形成される。
【００３２】
このように、本実施形態の半導体マイクロ分析チップは、Ｓｉ基板を用いた一般的な半導体デバイス製造工程で製造可能であり、微粒子検出を高感度で行えるのは勿論のこと、半導体技術の微細加工と量産技術を適用可能である。このため、非常に小型且つ低コストに製造可能となる。
【００３３】
（第２の実施形態）
図５及び図６は、第２の実施形態に係わる半導体マイクロ分析チップの概略構成を説明するためのもので、図５は平面図、図６は斜視図である。この実施形態は、検体液導入流路２１に微粒子サイズフィルタを設けた例である。
【００３４】
図中の５０ａ，５０ｂは微小サイズのピラーアレイであり、図６に示すように微小な柱状構造体（ピラー）を等間隔に配列し、その配置間隔により検体液中微粒子をサイズでフィルタリングするものである。ピラーアレイ５０ａ，５０ｂには、壁状構造体（スリット）アレイなどを用いることも可能である。以下では、検体液をリザーバー４１ａに滴下して流路２１に導入する例で、構成及び機能を示していく。
【００３５】
ピラーアレイ（又はスリットアレイ）は、前記図３（ａ）の工程段階でエッチングマスク５１に組み込むことが可能であり、図３（ａ）の右図中央の孤立パターンと同様に流路２１の途中にマスク５１を設けることで形成できる。図７に示すように、ピラーアレイ（又はスリットアレイ）５０は、流入する検体液中の微粒子を捕捉するため流路側面又は流路キャップとの間に隙間が無いようにする必要がある。特に、マスクパターンで制御できないピラーアレイ上部と流路キャップとの間の隙間をなくすため、前記図４（ｅ）の工程で犠牲層１２の表面を僅かに（例えば０．２μｍ）オーバーエッチングしておくことが有効である。
【００３６】
図８（ａ）に、前記図４（ｅ）の工程で犠牲層１２をオーバエッチングした後に絶縁膜１１ｂを形成した状態の断面を示す。犠牲層１２をオーバエッチングしているため、隔壁３１の部分が犠牲層１２よりも突出することになり、これにより隔壁３１の部分で絶縁膜（流路キャップ）１１ｂの上面に凹凸が生じている。図８（ｂ）は、図７のピラーアレイを形成する場合であり、犠牲層１２をオーバエッチングすることにより、ピラーアレイを有する流路２１上で絶縁膜１１ｂの上面が平坦ではなく凹凸形状を有するようになっている。
【００３７】
このようにすると、犠牲層１２の上面よりも隔壁３１又はピラーアレイ５０が突出しているため、隔壁３１又はピラーアレイ５０に対してより確実に隙間無く流路キャップを形成することができ、更に流路キャップを密着性良く形成することも可能となる。従って、Ｓｉ溝を流路にする場合、隔壁又はピラーを上記構造とすることは極めて有効である。
【００３８】
図９に、ピラーアレイ５０ａ，５０ｂの機能を概念的に示す。最初のピラーアレイ５０ａは、微細孔３０の上流側に設けられ、微細孔３０を詰まらせるような巨大粒子６１の除去フィルタであり、検出する微粒子６２は通過させて、微細孔３０の開口より大きな粒子６１は通さない間隔で形成されている。例えば、検出粒子サイズが１μｍφ、微細孔幅が１．５μｍの場合、ピラーアレイ５０ａとして２μｍφの円柱構造体又は１辺２μｍの四角柱構造体を、最大間隔が例えば１．３μｍとなるよう流路を横切る如く並べて形成する。ピラーアレイを設ける段数（列数）は巨大粒子６１のトラップ効率を考慮して決めれば良く、流路を横切るピラーアレイの列を例えば１０段（１０列）設けておくことで、１．３μｍ以上の外径を持つ微粒子をほぼトラップ可能である。
【００３９】
また、ピラーアレイ５０ａの前に更に大きなピラー間隔のピラーアレイ（図示せず）を設けておき、例えば５μｍφ以上の粒子を５０ａより前に予めフィルタリングしておく多段フィルタ構成としても構わない。この場合、粒子フィルタ５０ａ自体が巨大粒子６１で目詰まりすることを防止し易くなり、検体液の遠心分離や予備濾過などの前処理を省略して微粒子の検出作業を簡易化、短縮化することが可能である。
【００４０】
図９において、ピラーアレイ５０ｂは検出する微粒子６２を収集、濃縮するコレクタであり、微細孔３０の下流側に設けられ、検出する微粒子６２は通さず、電解液及び微小粒子６３は通過させる間隔で形成されている。例えば、検出粒子サイズが１μｍφ場合、ピラーアレイ５０ｂとして１μｍφの円柱構造体又は１辺１μｍの四角柱構造体を、最大間隔が例えば０．９μｍとなるように流路を横切る如く並べて形成する。ピラーアレイを設ける段数（列数）は検出微粒子６２のトラップ効率を考慮して決めれば良く、流路２１を横切るピラーアレイの列を例えば１０段（１０列）設けておくことで、１．０μｍ以上の外径を持つ微粒子をほぼトラップ可能である。
【００４１】
また、図１０（ａ）（ｂ）に示すように、ピラーアレイ５０ｂの各ピラーを流路２１に対して斜めに横断する如く配列し、各ピラーの上流側端のうち最も下流側に位置する部分の近くに微細孔３０が位置するように配置すると、トラップされた微粒子が効率良く微細孔３０の部分に誘導されて検出効率を高めることができる。
【００４２】
また、これらのピラーアレイ５０ａ，５０ｂは、両方搭載するだけでなく、何れか一方のみを搭載することでも構わない。これらは適用する検体液の形態や検査工程の組み合わせなどにより決定することが可能である。また、微粒子サイズフィルタとなるピラーアレイ５０ａ，５０ｂの他にピラーアレイ５０ａ，５０ｂの間隔より大きな間隔で流路全体に形成されていても構わない。この場合、各ピラーが流路の支柱として機能し、流路キャップが外圧や検体液の表面張力で潰れることを防止できるようになる。さらに、ピラー間にも表面張力が作用して電解液の引き込みを行う駆動力となり、流路への検体液や電解液の充填を更に容易にすることが可能になる。
【００４３】
また、リザーバー４１ａ，４１ｂ，４２ａ，４２ｂの領域に、流路キャップの無い状態で、且つ微粒子サイズフィルタとなるピラー間隔より大きな間隔でピラーアレイが形成されていても構わない。これにより、リザーバーに滴下された検体液や電解液がピラーアレイの表面張力によって広げられ、流路入口までスムーズに液体を流れ込ませることが可能になる。
【００４４】
このように本実施形態では、検体液導入流路中にピラーアレイ（又はスリットアレイ）を配置することで、微粒子のサイズフィルタ機能を付加することができる。さらに、不要粒子の除去や検出粒子の濃縮などの機能を付加することで、検査工程の簡略化や微粒子の検出精度向上を可能にする。従って、検査時間の短縮や検査ミスの低減及び防止が可能となる。
【００４５】
（第３の実施形態）
図１１は、第３の実施形態に係わる半導体マイクロ分析チップの概略構成を示す斜視図であり、流路２１，２２をＳｉ基板１０の溝で構成するのではなく、トンネル状の絶縁膜で覆って構成する例である。
【００４６】
図２及び図６の実施形態においては、流路２１，２２の溝を形成した後、犠牲層１２を溝に選択的に埋め込む工程（図４（ｅ））が必要である。しかしながら、犠牲層１２を全面形成した後、全面エッチバックする方法においては、犠牲層が全面に残存する状態と溝部のみ残存する状態での犠牲層エッチングレートが大幅に変わる。このため、図４（ｅ）の状態でエッチングを停止することが難しい。また、ウェハ面内のエッチングバラツキにより溝部外の犠牲層残留、溝部犠牲層の過剰エッチングといったエッチング不良が生じやすい可能性がある。一方、ＣＭＰで犠牲層埋め込みを行う場合、電極１３ａ，１３ｂの段差分の犠牲層残渣が部分的に生じ易く、その後の工程での膜剥がれなどのプロセス不良が生じるだけでなく、絶縁膜の隙間を通じたイオン電流のリーク不良が生じる可能性があった。
【００４７】
そこで、本実施形態においては、Ｓｉ基板１０の掘り込み溝を流路とするのではなく、犠牲層１２を流路パターンに形成した後、犠牲層１２の上面及び側面を絶縁膜で覆うことにより絶縁膜トンネル型流路としている。図１２に、その製造過程を示す。
【００４８】
図１２は、本実施形態に係わる半導体マイクロ分析チップの製造過程を示す断面図であり、左側は第１の流路２１のピラーアレイ形成部分の断面を示し、右側は第２の流路２２の断面を示している。流路２１及び２２の接触部における隔壁３１は、図３の右図と同様に形成するものとして省略する。また、電極１３ａ，１３ｂも同様であるため省略する。
【００４９】
図１２（ａ）において、１０はシリコン基板、５１はＳｉＯ2 膜をＣＶＤで１００ｎｍ厚に形成し、フォトリゾグラフィーによりパターンニングしたエッチングマスクである。
【００５０】
図１２（ｂ）に示すように、エッチングマスク５１をマスクとしてシリコン基板１０の表面をＲＩＥにより例えば２μｍエッチングする。このとき、パターン開口は流路部分とリザーバー部分、及び微細孔とするが、流路部分は最終的な流路幅より十分広い１０ａの幅とする。１０ａは２つの流路を含み、流路の側部も十分広くとるようにする。また、この工程でピラーアレイ５０も形成するが、ピラーアレイ５０を流路幅より広い領域に形成しておくことで、ピラーアレイと流路のパターンずれによる隙間の発生を防止できる。
【００５１】
次いで、図１２（ｃ）に示すように、シリコン基板１０の表面に熱酸化ＳｉＯ2 膜１１ａを形成する。このとき、エッチングマスク５１は熱酸化前に除去することでもそのまま残すことでも構わない。熱酸化処理は、例えばウェット酸化技術を用いてＳｉＯ2 膜厚２００ｎｍとなるように形成する。また、この熱酸化によりピラーアレイ５０の全体はＳｉＯ2 膜となる。
【００５２】
次いで、図１２（ｄ）に示すように、電極１３ａ，１３ｂを形成（図示せず）し、流路壁を形成するための犠牲層１２をパターン形成する。犠牲層１２として感光性ポリイミド樹脂を用いると、樹脂の塗布と露光、現像により直接犠牲層パターンを形成することが可能になる。
【００５３】
次いで、図１２（ｅ）に示すように、流路壁及びキャップとなる絶縁膜１１ｂ（ＳｉＯ2 ，ＳｉＮｘ，Ａｌ2Ｏ3 など）をＣＶＤ又はスパッタなどにより形成（例えば厚さ５００ｎｍ）し、リザーバー及び電極パッド部分の絶縁膜１１ｂに開口を形成する。
【００５４】
最後に、図１２（ｆ）に示すように、酸素プラズマアッシングなどにより、犠牲層１２の選択除去を行う。流路犠牲層１２は酸素プラズマにより流路２１，２２の端部開口からアッシング（灰化）除去され、犠牲層除去後は上下左右を絶縁膜に囲まれた流路２１，２２が形成される。
【００５５】
この実施形態においては、犠牲層１２のエッチバック処理やＣＭＰ処理が無いため、犠牲層１２の残渣や膜減りといった面内ムラが生じ難く、犠牲層工程によるプロセス不良が激減する。また、犠牲層残渣による熱酸化膜１１ａとキャップ膜１１ｂの隙間が本質的に生じ難いため、イオン電流のリーク不良も殆ど解消する。
【００５６】
なお、本実施形態におけるリザーバー（４１ａ，４１ｂ，４２ａ，４２ｂ）は、基本的に図２、図６と同様に形成可能であるが、絶縁膜トンネル型流路とリザーバーとの接続部において、リザーバーの液体ダムを形成する必要がある。このためには、図１１に示すように流路２１，２２の端部開口の横にＳｉテラスを残す構成や、流路端部開口の横にダミー流路をＳｉテラス部分まで形成して液体ダムとする構成とすれば良い。
【００５７】
（第４の実施形態）
図１３は、第４の実施形態に係わる半導体マイクロ分析チップの概略構成を示す平面図であり、流路２１と流路２２を別々の工程によって形成し、２つの流路の交差する積層部（接触部）を設ける例である。ここでは、検体導入流路となる２１を下側に形成し、検体受容流路となる２２を上側に形成した、２段型流路とする。このとき、微細孔３０は２つの流路の積層部（接触部）に設け、第１の流路２１の上面及び第２の流路の下面となる隔壁（第１の流路のキャップ絶縁膜）にフォトリゾグラフィーにより形成する。
【００５８】
図１〜図１２の実施形態においては２つの流路が隔壁を挟んで横方向に隣接しており、微細孔３０をＳｉ基板１０に対して垂直な隔壁に形成する必要があり、隔壁側部からパターンニングしてスリット状の微細孔３０を形成していた。このときの微細孔形状は、流路深さが微細孔幅と同じ場合で正方形に近い四角形であるが、流路深さが微細孔幅より深い場合は縦長のスリットとなっていた。このため、微細孔を微粒子が通過する際、微粒子で微細孔の開口を十分に遮蔽することができず、イオン電流の変化が円形微細孔に比し小さいという問題があった。
【００５９】
これに対し、図１３の実施形態においては、微細孔３０を直接パターンニング可能であり、微細孔の開口形状を任意に形成可能であるため、微粒子によるイオン電導を最も効果的に遮蔽可能な円形開口とすることができる。これにより、検出する微粒子が微細孔３０を通過する際のイオン電流変化を最大化することができ、図１〜図１２の実施形態よりも更に高感度の微粒子検出が可能となる。
【００６０】
図１４は、２段型流路の具体例であり、第１の流路２１を図２と同様なＳｉ基板掘り込み型のトンネル流路、第２の流路２２を図９と同様な絶縁膜トンネル型流路とした例である。それぞれの流路は第１の流路２１を図３及び図４の工程と同様に形成し、第２の流路２２をＳｉ基板１０の掘り込み工程を省略した図１２の工程と同様に形成を行う。但し、第１の流路２１の形成は図４（ｆ）の段階までとし、その段階で微細孔３０を絶縁膜１１ｂの流路接触部に形成する。
【００６１】
続いて、図１２（ｄ）〜（ｆ）の工程により第２の流路２２を形成し、図１２（ｆ）の工程で第１の流路２１の犠牲層も一斉に除去するようにする。また、電極１３ａは図３（ｄ）の工程を用いて形成するが、電極１３ｂは図１２（ｄ）の工程の直後に形成することで、第２の流路２２の上面に位置させることができる。
【００６２】
この結果、第１の流路２１は図１５（ａ）に示すように掘り込み型のトンネル流路となり、第２の流路は図１５（ｂ）に示すように絶縁膜トンネル型の流路となる。また、２つの流路の交差する接触部において、図１５（ｃ）に示すように、絶縁膜１１ｂに微細孔３０を形成しており、その開口形状は任意に形成可能である。イオン電流を観測する電極は、第１の流路２１の下面と第２の流路２２の上面に形成されている。これにより、前述した実施形態の利点を引き継ぎながら、微細孔形状の最適化による高感度化が実現できる。また、この実施形態では、Ｓｉ掘り込み型のトンネル流路２１を有するが、第２の流路２２が絶縁膜１１ｂの上に形成されるため、犠牲層残渣による絶縁膜１１ａと１１ｂの間の隙間が生じても２つの流路間にリーク電流が発生しないという利点もある。
【００６３】
なお、ここでは２つの流路が交差するように配置しているため、リザーバー４１ａに滴下した検体液は４２ｂのリザーバーに排出されるようになる。これは勿論、図１６に平面図を、図１７に斜視図を示すように、２つの流路が積層接触する部分の後、元の流路側に戻すように配置（４１ａへの滴下検体液を４２ａに排出）することでも構わないものである。
【００６４】
ここで、図１８（ａ）（ｂ）は、ピラーアレイ５０ｂの各ピラーを流路２１に対して斜めに横断する如く配列し、各ピラーの上流側端のうち最も下流側に位置する部分の近くに微細孔３０が位置するように配置した図であり、（ａ）は平面図、（ｂ）は斜視図である。このようにすることで、ピラーアレイ５０ｂによってトラップされた微粒子が効率良く微細孔３０の部分に誘導されて検出効率を高めることができる。
【００６５】
さらに、図１８（ｃ）（ｄ）はピラーアレイ５０ｂを流路方向に対して「＞型」に配置したもので、（ｃ）は平面図、（ｄ）は斜視図である。このような配置とすることでも、図１８（ａ）（ｂ）と同様の効果が得られる。微細孔３０を所定の大きさに形成することを考えた場合、「＞型」配置では微細孔３０を流路２１の中央部に形成することになるため、図１８（ｃ）（ｄ）に示す「＞型」配置の方が図１８（ａ）（ｂ）に示す「斜め」配置よりも、作りやすいと云うメリットがある。
【００６６】
図１９に、本実施形態による微粒子検出機構を概念的に示す。ピラーアレイ５０ａ，５０ｂの機能は図９と同様である。図１９において、電極１３ａ，１３ｂ間に電圧を印加すると、ピラーアレイ５０ｂで収集された微粒子６２は、電極１３ａ，１３ｂ間を電気泳動し、微細孔３０を通過して流路２２側に移動する。この時に電極１３ａ，１３ｂ間を流れるイオン電流が変化するため、微粒子６２を検出することができる。
【００６７】
このように本実施形態によれば、２つの流路２１，２２を交差させることにより微細孔３０を円形開口とすることができるため、第１の実施形態と同様の効果が得られるのは勿論のこと、より高感度の微粒子検出が可能となる。
【００６８】
（第５の実施形態）
図２０は、第５の実施形態に係わる半導体マイクロ分析チップの概略構成を示す斜視図であり、流路２１と流路２２を別々の工程によって形成し、２つの流路の積層部（接触部）を設ける例の変形例である。
【００６９】
ここでは、検体導入流路となる第１の流路２１と、検体受容流路となる第２の流路２２をいずれも絶縁膜トンネル型の流路としている。但し、２つの流路は別々の工程で形成しており、微細孔３０は２つの流路の積層部にフォトリゾグラフィーにより形成している。
【００７０】
この実施形態の特徴は、図１４の実施形態で第２の流路２２がリザーバー接合部（開口部）の高さが異なることで、検体液又は電解液の充填が上手くいかないことがある不具合を解消するものである。即ち、基板に形成した流路部分１０ａに第１の流路２１を絶縁膜トンネル型流路で形成し、第２の流路２２を第１の流路２１の形成後に同様工程で絶縁膜トンネル型流路に形成することにより、２つの流路のリザーバー部での高さをほぼ同一とすることができるものである。
【００７１】
２つの流路の積層部分（図２０の接触部）は、第２の流路２２を形成する際に第１の流路２１上で犠牲層が盛り上がることで、前記図１９のように第２の流路２２の空間が確保できる。これにより、２つの流路２１，２２に対して検体液（又は電解液）の充填を行う際、一方の流路が充填不良となる問題を解消できる。
【００７２】
従って本実施形態によれば、第４の実施形態の効果に加え、流路における検体液又は電解液の充填不良を未然に解決できる利点がある。
【００７３】
（第６の実施形態）
図２１は、第６の実施形態に係わる半導体マイクロ分析チップの概略構成を示す斜視図であり、流路２１と流路２２を別々の工程によって形成し、２つの流路の積層部（接触部）を設ける例の変形例である。また、図２２（ａ）は流路の断面図であり、図２２（ｂ）は流路の接触部の断面図である。
【００７４】
ここでは、図２０の実施形態と同様、検体導入流路となる第１の流路２１と、検体受容流路となる第２の流路２２を何れも絶縁膜トンネル型の流路としている。但し、２つの流路は別々の工程で形成しており、微細孔３０は２つの流路の積層部にフォトリゾグラフィーにより形成しているほか、図２２（ａ）（ｂ）に示すように、第２の流路２２の高さを第１の流路２１よりも高くしている。
【００７５】
これにより、２つの流路２１，２２の積層部分（図２１の接触部）において、第２の流路２２の積層空間が確実に確保可能となり、図２０の実施形態でしばしば生じる可能性があった第２の流路２２が２つの流路の積層部で潰れてしまう問題を解消可能となる。図２０の実施形態においては、第２の流路を形成する際、２層目の犠牲層が自然に第１の流路上で盛り上がることを期待して作製しているが、犠牲層材料の生産バラツキや加工環境の温度や湿度で変動するため、同じ形状の流路を形成することが難しく、確実な再現性が得にくかった。図２１の実施形態においては、流路の上面の一部を盛り上がらせる必要がないため、犠牲層の塗布条件（スピン回転数など）を異ならせることや粘度の異なる犠牲層材料を用いることで、確実に高さの異なる流路が形成できる。
【００７６】
このとき、第１の流路２１と第２の流路２２の検体液（又は電解液）充填量を揃え、毛細管現象もほぼ同等とするため、２つの流路の断面積を揃えておくことが望ましい。例えば、第１の流路２１の幅を５０μｍ、高さを２μｍとした場合、第２の流路２２の幅を２０μｍ、高さを５μｍとすると、２つの流路の断面積を揃えることができ、積層部の高さを３μｍ確保することができる。
【００７７】
従って本実施形態によれば、第５の実施形態の効果に加え、２つの流路２１，２２の積層部の潰れの問題を解決でき、より信頼性の高いマイクロ分析チップを実現できる利点がある。
【００７８】
（第７の実施形態）
図２３は、第７の実施形態に係わる半導体マイクロ分析チップの概略構成を示す平面図である。なお、以下では、流路２１，２２の両方に検体液を流すことを例にしているが、一方に電解液を流すようにしても良い。
【００７９】
リザーバー４１ａ上に検体液を吸収可能な吸収材７１ａを設置し、リザーバー４１ｂ上に検体液又は電解液を吸収可能な吸収材７１ｂを設置している。さらに、リザーバー４２ａ上に検体液を吸収可能な吸収材７２ａを設置し、リザーバー４２ｂ上に検体液又は電解液を吸収可能な吸収材７２ｂを設置している。吸収材としては、例えば濾紙や不織布などの繊維集合体を用いることができる。この吸収材は、対応するリザーバーの全体を覆うように設置しても良いし、一部を覆うように設置しても良い。但し、隣接するリザーバー間で分離されている必要がある。
【００８０】
なお、先の第１の実施形態で説明したように、リザーバー４１ａには検体液を供給し、リザーバー４１ｂには検体液及び電解液の何れを供給しても良いが、以下では、リザーバー４１ｂにも検体液を供給する例で説明する。
【００８１】
このような構成において、検出する微粒子を含む検体液を吸収材７１ａ，７１ｂに滴下すると、吸収材７１ａ，７１ｂから検体液がしみ出し、リザーバー４１ａ，４１ｂ内へ導入される。リザーバー４１ａ，４１ｂ内に導入された検体液は、流路２１，２２を通ってリザーバー４２ａ，４２ｂに至る。流路２１，２２を流動してきた検体液は、リザーバー４２ａ，４２ｂ上に設けられた吸収材７２ａ，７２ｂに吸い取られる。リザーバー４２ａ，４２ｂ内の検体液がひとたび吸収材７２ａ，７２ｂに吸収され始めると、続いて流動してくる検体液が次々と吸収材７２ａ，７２ｂに吸収されていくため、流路２１，２２中の検体液流動が連続的に行われる。
【００８２】
即ち、吸収材７２ａ，７２ｂで検体液を吸い取ることで流路２１，２２中の検体液を電気泳動や外部ポンプを用いずに流動させることができ、検体液に含まれる微粒子も検体液の流動で移動させることが可能となる。このような理由から、リザーバー４１ａ，４１ｂ側の吸収材７１ａ，７１ｂは省略することも可能である。
【００８３】
また、検体液導入側に吸収材７１ａ，７１ｂを設置することで、半導体マイクロ分析チップのサイズを増大することなく十分な量の検体液を流路２１，２２に供給することが可能となる。一般に、マイクロ分析チップへの検体液注入はマイクロピペッターなどを使用して行うが、その滴下量は１０〜１００００マイクロリットル程度であり、この量の検体液を受容するには、例えば深さ１００μｍで１００ｍｍ2 程の面積が必要になる。この受容領域を半導体マイクロ分析チップに集積すると、分析チップとしての機能部分を集積するサイズより遙かに大きなチップサイズが必要となり、莫大なコスト増加を生じてしまう。また、検体液中の微粒子の濃度は一般に低く、数多くの微粒子を検出する場合、多量の検体液を注入する必要があり、これを可能にする検体液の受容領域は巨大なものとなる。
【００８４】
本実施形態の半導体マイクロ分析チップでは、非常に大きな検体液受容部を集積する代わりに分析チップの外部に十分大きな吸収材７１ａ，７１ｂを設け、検体液を吸収材７１ａ，７１ｂに滴下して流路２１，２２に注入する。また、検体排出側から排出された検体液は吸収材７２ａ，７２ｂで吸収することができ、これにより分析チップに収容される検体液量よりも多くの検体液を注入、排出することが可能になる。
【００８５】
なお、リザーバー４１ａ，４１ｂ，４２ａ，４２ｂの領域に、前述した微粒子サイズフィルタとなるピラー間隔より大きな間隔のピラーアレイを形成しておき、前述した吸収材とピラーアレイが接するようにしておくことが望ましい。これにより、吸収材７１ａ，７１ｂ，７２ａ，７２ｂとこれらに対応するリザーバーとの間で検体液や電解液の授受がピラーアレイの表面張力によってスムーズに行われ、また、吸収材から流路入口（出口）までスムーズに液体を流出入させることが容易となる。
【００８６】
このように本実施形態によれば、リザーバー４１ａ，４１ｂ，４２ａ，４２ｂ上に吸収材７１ａ，７１ｂ，７２ａ，７２ｂを設置することにより、第１の実施形態と同様の効果が得られるのは勿論のこと、次のような効果も得られる。
【００８７】
即ち、検体液排出領域４２，４２ｂ側に吸収材７２ａ，７２ｂを設けることにより、流路２１，２２中の検体液を電気泳動や外部ポンプを用いずに流動させることができる。さらに、検体液導入領域４１ａ，４１ｂ側に吸収材７１ａ，７１ｂを設けることにより、半導体マイクロ分析チップのサイズを増大することなく十分な量の検体液を流路２１，２２に供給することが可能となる。従って、非常に小さな分析チップでも多量の検体液を扱うことが可能となり、半導体マイクロ分析チップとしての機能部分を最小限の面積に集積することで大幅な低コスト化が図れる。
【００８８】
（第８の実施形態）
図２４及び図２５は、第８の実施形態に係わる半導体マイクロ分析チップ９０の概略構成を説明するためのもので、図２４は平面図、図２５は斜視図である。
【００８９】
本実施形態は、前記図２３に示す半導体マイクロ分析チップを収容するパッケージ８０に検体液導入口８１を設けたものである。検体液導入口８１は、パッケージ８０の吸収材７１ａ，７１ｂ上に位置する天板面に開口を設け、７１ａ，７１ｂに検体液を導く漏斗状の液体ガイドを設けることにより形成されている。検体液導入口８１は、吸収材７１ａ，７１ｂの両方に跨る大きさであり、検体液導入口８１には、検体液を吸収材７１ａと７１ｂとに分離するための仕切り板８２が設けられている。
【００９０】
なお、図２４には検体液排出側の吸収材７２ａ，７２ｂは図示していないが、これらを設けても良いのは勿論のことである。また、半導体マイクロ分析チップ９０の構造は前記図２３の例に限らず、先に説明した各実施形態のように適宜変更可能である。
【００９１】
このような構成であれば、検体液導入口８１の中心部に検体液を垂らすだけで、検体液を吸収材７１ａ，７１ｂに吸収させることができると共に、吸収材７１ａと７１ｂとで検体液を確実に分離することができる。そして、吸収材７１ａ，７１ｂに対応するリザーバー４１ａ，４１ｂに検体液を導入し、更に流路２１，２２に流し込むことができる。従って、リザーバー４１ａ，４１ｂに個別に検体液を導入する必要がなくなり、簡易な操作で検体液の導入が可能となると共に、マイクロ分析チップの大きさ、特にリザーバー部分の大きさを吸収材との重ね合せに必要な最小サイズとすることができ、マイクロ分析チップのサイズ極小化が可能となってマイクロ分析チップの低コスト化が可能になる。
【００９２】
（変形例）
なお、本発明は上述した各実施形態に限定されるものではない。
【００９３】
実施形態では、主にＳｉ基板を用いた例を示しているが、基板は必ずしもＳｉに限らず、通常の半導体製造プロセスで加工可能であれば、他の半導体基板材料を用いることも可能である。また、絶縁膜として主に誘電体（ＳｉＯ2 ，ＳｉＮｘ，Ａｌ2Ｏ3）を表記しているが、その種類、組成等は任意であり、この他に例えば有機絶縁膜を用いることも可能であるなど、上記実施形態に限定されるものではない。
【００９４】
本発明の幾つかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９５】
１０…半導体基板
１０ａ…半導体基板掘り込み領域
１１，１１ａ，１１ｂ，１１ｃ，１１ｄ…絶縁膜
１２…犠牲層
１３ａ，１３ｂ…電極
２１…第１の流路
２２…第２の流路
３０…微細孔
３１…隔壁
４１ａ，４１ｂ…リザーバー（検体液導入領域）
４２ａ，４２ｂ…リザーバー（検体液排出領域）
５０，５０ａ，５０ｂ…柱状構造体（ピラー）アレイ
５１…エッチングマスク
６１…巨大粒子
６２…検出粒子
６３…微小粒子
７１ａ，７１ｂ，７２ａ，７２ｂ…吸収材
８０…パッケージ
８１…検体液導入口
８２…仕切り板
【図１】
2015036631.tif 000003
【図２】
2015036631.tif 000004
【図３】
2015036631.tif 000005
【図４】
2015036631.tif 000006
【図５】
2015036631.tif 000007
【図６】
2015036631.tif 000008
【図７】
2015036631.tif 000009
【図８】
2015036631.tif 000010
【図９】
2015036631.tif 000011
【図１０】
2015036631.tif 000012
【図１１】
2015036631.tif 000013
【図１２】
2015036631.tif 000014
【図１３】
2015036631.tif 000015
【図１４】
2015036631.tif 000016
【図１５】
2015036631.tif 000017
【図１６】
2015036631.tif 000018
【図１７】
2015036631.tif 000019
【図１８】
2015036631.tif 000020
【図１９】
2015036631.tif 000021
【図２０】
2015036631.tif 000022
【図２１】
2015036631.tif 000023
【図２２】
2015036631.tif 000024
【図２３】
2015036631.tif 000025
【図２４】
2015036631.tif 000026
【図２５】
2015036631.tif 000027